(57)【要約】【課題】複数のコンテンツを収録しても検索するコンテンツの情報項目に素早くアクセス可能なインデックス付き多段情報媒体を提供する。【解決手段】帯状の紙片２を交互に山折り谷折りして折り重ねることで形成される多段情報媒体であって、紙片２には長手方向に沿った区分線３により分割されてコンテンツ収録領域２Ａ、２Ｂが形成されている。コンテンツ収録領域２Ａ、２Ｂには、紙片２を折り重ねる際に、谷折りの折り目を中心として左右の山折りの折り目までの寸法を違えることで露出されるインデックス表示部１１と、折り重ねにより隠れるインデックス表示部１２とがそれぞれ形成される。そして、インデックス表示部１１には見出しが印刷されて、コンテンツ表示部１２には連接しているインデックス表示部１１の見出しと関連する情報が印刷される。【選択図】図１
0003183784.tif 000002
【実用新案登録請求の範囲】
【請求項１】
帯状の紙片を長手方向と直交する方向に折り目を形成しながら前記長手方向に沿って山折りと谷折りを交互に繰り返して折り重ねることで形成される多段情報媒体であって、
前記紙片を前記長手方向に沿って形成される少なくとも１本の区分線により分割することで複数のコンテンツ収録領域を形成し、
それぞれの前記コンテンツ収録領域は、
前記折り重ねる際に前記谷折りの折り目を中心にして前記直交する方向の両側の前記山折りの折り目までの寸法を違えることで露出される部位であって、前記折り重ねの回数に応じて複数形成されるインデックス表示部と、
前記折り重ねる際に隠れる部位であって前記インデックス表示部ごとに連接して複数形成されるコンテンツ表示部と、を備えて、
前記インデックス表示部には見出しが記載されると共に、前記コンテンツ表示部には連接している前記インデックス表示部の見出しと関連する詳細情報が記載されることを特徴とするインデックス付き多段情報媒体。
【請求項２】
前記区分線は切取線であることを特徴とする請求項１に記載のインデックス付き多段情報媒体。
【請求項３】
一方の前記コンテンツ収録領域の前記コンテンツ表示部には試験やクイズ等の問題が記載され、他方の前記コンテンツ収録領域の前記コンテンツ表示部には前記問題に対する解答が記載されていることを特徴とする請求項１又は２に記載のインデックス付き多段情報媒体。
【請求項４】
一方の前記コンテンツ収録領域の前記コンテンツ表示部に記載される前記詳細情報は前記長手方向と直交する方向の一端側から読み取りが可能な向きで記載されて、他方の前記コンテンツ収録領域の前記コンテンツ表示部に記載される前記詳細情報は前記長手方向と直交する方向の他端側から読み取りが可能な向きで記載されていることを特徴とする請求項１又は２に記載のインデックス付き多段情報媒体。
【請求項５】
一方の前記コンテンツ収録領域の前記コンテンツ表示部に記載される前記詳細情報は第１の言語によって表記されて、他方の前記コンテンツ収録領域の前記コンテンツ表示部に記載される前記詳細情報は第２の言語によって表記されていることを特徴とする請求項４に記載のインデックス付き多段情報媒体。
【考案の詳細な説明】
【技術分野】
【０００１】
本考案は、長尺な紙片を山折りと谷折りを交互に繰り返して折り重ねて形成する携帯可能なインデックス付き多段情報媒体に関し、特に、複数種のコンテンツを収録するインデックス付き多段情報媒体に関する。
【背景技術】
【０００２】
従来、印刷情報媒体としては、印刷された複数枚の紙片を重ねて冊子状にしたものが一般的に用いられている。しかし、冊子状にするには紙片を綴じなければならず、製造コストが高くなる。
【０００３】
そのため、印刷が施された１枚の紙片を折り曲げて重ねることによって作製する多段情報媒体が知られている（例えば、特許文献１乃至３を参照）。
【０００４】
上記の折り畳み式の多段情報媒体は、折り重ねたときに露出する部分を形成して、この部分に見出しを表示してインデックス表示部としている。したがって、インデックス表示部を備えた多段情報媒体は、コンテンツの内容を見出しごとに体系的に整理して記載することができることから、１枚の紙片でもコンテンツの情報を効率的に収録でき、低コストなばかりかコンパクトで携帯用にも優れた情報媒体といえる。また、利用者にとっても、このインデックス表示部を利用してコンテンツの中のそのとき知りたい情報項目に簡単にアクセスすることができるため、利便性の高いものである。
【先行技術文献】
【特許文献】
【０００５】
【特許文献１】登録実用新案第３１６０５７８号公報
【特許文献２】登録実用新案第３１６０５７９号公報
【特許文献３】登録実用新案第３１６１２６９号公報
【考案の概要】
【考案が解決しようとする課題】
【０００６】
しかしながら、従来のインデックス付き多段情報媒体は、使い勝手の面を考えると、収録するコンテンツを１種類とするのが好ましい。すなわち、コンテンツの種類を複数にすると、利用者にとっては、コンテンツの種類の増加で増大したインデックス表示部の中から目的のコンテンツの知りたい情報項目を探すのにも手間が掛かり、素早くアクセスして知りたい情報を取り出せるという、この種の情報媒体の最大の利点が損なわれるからである。そして、コンテンツの種類が増えると、必然的により長尺な紙片を折り畳むために分厚い情報媒体となる不都合も生じる。
【０００７】
本考案は、上記課題に鑑みて、複数のコンテンツを収録しても検索するコンテンツの情報項目に素早くアクセス可能なインデックス付き多段情報媒体を提供することを目的とする。
【課題を解決するための手段】
【０００８】
本考案は、上記課題を解決するために、帯状の紙片を長手方向と直交する方向に折り目を形成しながら前記長手方向に沿って山折りと谷折りを交互に繰り返して折り重ねることで形成される多段情報媒体であって、前記紙片を前記長手方向に沿って形成される少なくとも１本の区分線により分割することで複数のコンテンツ収録領域を形成し、それぞれの前記コンテンツ収録領域は、前記折り重ねる際に前記谷折りの折り目を中心にして前記直交する方向の両側の前記山折りの折り目までの寸法を違えることで露出される部位であって、前記折り重ねの回数に応じて複数形成されるインデックス表示部と、前記折り重ねる際に隠れる部位であって前記インデックス表示部ごとに連接して複数形成されるコンテンツ表示部と、を備えて、前記インデックス表示部には見出しが記載されると共に、前記コンテンツ表示部には連接している前記インデックス表示部の見出しと関連する詳細情報が記載されるインデックス付き多段情報媒体を提供する。
【０００９】
インデックス付き多段情報媒体をコンテンツごとに別々に保管するために、前記区分線をコンテンツ収録領域を切り離すための切取線としてもよい。
【００１０】
ここで、上記のインデックス付き多段情報媒体は、一方の前記コンテンツ収録領域の前記コンテンツ表示部には問題を記載し、他方の前記コンテンツ収録領域の前記コンテンツ表示部には前記問題に対する解答を記載する使用例がある。
【００１１】
また、上記のインデックス付き多段情報媒体は、一方の前記コンテンツ収録領域の前記コンテンツ表示部に記載される前記詳細情報は前記長手方向と直交する方向の一端側から読み取りが可能な向きで記載し、他方の前記コンテンツ収録領域の前記コンテンツ表示部に記載される前記詳細情報は前記長手方向と直交する方向の他端側から読み取りが可能な向きで記載する使用例がある。
【００１２】
このように、前記コンテンツ収録領域間で印刷方向の向きを変えた場合、一方の前記コンテンツ収録領域の前記コンテンツ表示部に記載される前記詳細情報は第１の言語によって表記し、他方の前記コンテンツ収録領域の前記コンテンツ表示部に記載される前記詳細情報は第２の言語によって表記することで２言語間のコミュニケーションツールとして用いることができる。
【考案の効果】
【００１３】
本考案による多段情報媒体によれば、長尺の紙片をその長手方向に沿った少なくとも１本の区分線により分割することで複数のコンテンツ収録領域を形成している。そして、各コンテンツ収録領域は、それぞれインデックス表示部とコンテンツ表示部とを有しているために、多段情報媒体の各頁にそれぞれのコンテンツの情報が区分けして併記することが可能であり、複数種のコンテンツを収録していても検索するコンテンツの情報項目に素早くアクセスすることができる。
【００１４】
そして、区分線により分割しているために、任意の組み合わせにより複数のコンテンツを収録することができ、種々の目的に応じて効果的に使用することができる。
【図面の簡単な説明】
【００１５】
【図１】本考案のインデックス付き多段情報媒体を模式的に示す図。
【図２】図１のインデックス付き多段情報媒体の折り畳みを開いた状態を模式的に示す図。
【図３】図１のインデックス付き多段情報媒体を折り畳んだ状態を側面から模式的に示す図。
【図４】図１のインデックス付き多段情報媒体の第１使用例を平面から模式的に示す図。
【図５】図４のインデックス付き多段情報媒体においてインデックス表示部の一つを開いた状態を平面から模式的に示す図。
【図６】図１のインデックス付き多段情報媒体の第２使用例でインデックス表示部の一つを開いた状態を平面から模式的に示す図。
【図７】図１のインデックス付き多段情報媒体の第３使用例でインデックス表示部の一つを開いた状態を平面から模式的に示す図。
【考案を実施するための形態】
【００１６】
以下、本考案の実施の形態について、図面を参照しながら詳細に説明する。
【００１７】
図１は、本考案に係るインデックス付き多段情報媒体１の概要を示す全体概略図である。また図２は、その折畳みを開いた状態を平面から示す模式図、図３は、その折畳んだ状態を側面から示す模式図である。
【００１８】
これらの図に示すように、インデックス付き多段情報媒体１は、帯状の長尺な紙片２をその長手方向と直交する方向に折り目を形成しながら山折りと谷折りを長手方向に沿って交互に繰り返して折り重ねることで形成される。そして、紙片２は、長手方向に沿って形成された区分線３によって、第１コンテンツ収録領域２Ａと第２コンテンツ収録領域２Ｂとに上下で分割されている。このように、本実施の形態では、２種類のコンテンツを収録するために紙片２は一本の区分線３によって分割しているが、区分線３を複数設けることでコンテンツ収録領域数を増やしてもよい。
【００１９】
区分線３は、第１コンテンツ収録領域２Ａと第２コンテンツ収録領域２Ｂとが分離可能なよう図１では切取線によって形成されている。この場合、切取線は分離しやすくするために、ミシン目を設けるものであってもよい。
【００２０】
そして、紙片２を谷折りの折り目を中心にして折り重ねる際に、谷折りの折り目を中心にして長手方向と直交する方向での両側の山折りの折り目までの寸法を違えて折り畳むことでインデックス表示部１１を形成する。図２で具体的に説明すると、同図で左側の山折りの折り目までの幅寸法Ａと、右側の山折りの折り目までの幅寸法Ｂとを違えることで（Ａ＞Ｂ）、紙片２を折り畳んだときにその差（Ａ−Ｂ）の間隔分だけ露出する部位がインデックス表示部１１となる。また、紙片２が折畳まれた状態では露出せず、折目を開いた際に露出する部位がコンテンツ表示部１２となり、一つのコンテンツ表示部１２は、谷折り線を中心にして開いたときの左右の見開き部分から構成されている。
【００２１】
インデックス表示部１１と、これに連接するコンテンツ表示部１２とは、紙片２を折り重ねた回数に応じて複数形成される。また、紙片２が折畳まれた状態で最も上に位置する幅寸法Ａの部分が表紙部１３となる。このとき、紙片２は第１コンテンツ収録領域２Ａと第２コンテンツ収録領域２Ｂとに区分されているために、インデックス表示部１１は、第１インデックス表示部１１Ａと第２インデックス表示部１１Ｂとを備え、コンテンツ表示部１２は、第１コンテンツ表示部１２Ａと第２コンテンツ表示部１２Ｂとを備え、表紙部１３は、第１表紙部１３Ａと第２表紙部１３Ｂとを備えている。
【００２２】
第１コンテンツ収録領域２Ａと第２コンテンツ収録領域２Ｂとにはそれぞれ異なるコンテンツが収録される。したがって、各第１インデックス表示部１１Ａには、第１コンテンツ収録領域２Ａに収録されているコンテンツの情報項目別に分類した情報項目名が見出しとしてそれぞれ記載されると共に、それぞれの第１インデックス表示部１１Ａに連接している各第１コンテンツ表示部１２Ａには該当する見出しと関連する詳細情報が記載される。同じく、各第２インデックス表示部１１Ｂには、第２コンテンツ収録領域２Ｂに収録されているコンテンツの情報項目別に分類した情報項目名が見出しとしてそれぞれ記載されると共に、それぞれの第２インデックス表示部１１Ｂに連接している各第２コンテンツ表示部１２Ｂには該当する見出しと関連する詳細情報が記載される。
【００２３】
したがって、印刷媒体１が折り畳んだ状態にあるときも露出している第１インデックス表示部１１Ａ及び第２インデックス表示部１１Ｂは索引として利用することができ、利用者は、任意の第１インデックス表示部１１Ａ又は第２インデックス１１Ｂを開くことにより、任意のコンテンツ表示部１２Ａ又はコンテンツ表示部１２Ｂへ簡単にアクセスすることが可能となる。
【００２４】
また、紙片２を折り重ねた際、紙片２の裏面側にも図３で示すように、同様のインデックス表示部２１、コンテンツ表示部２２及び表紙部２３が形成される。そして、裏面にも表面と対応している同じ位置に区分線３が形成されて、同様な第１コンテンツ収録領域と第２コンテンツ収録領域とに区分されるために、インデックス表示部２１は、第１インデックス表示部と第２インデックス表示部とを含み、コンテンツ表示部２２は、第１コンテンツ表示部と第２コンテンツ表示部とを含み、表紙部２３は、第１表紙部と第２表紙部とを含む。
【００２５】
このように紙片２の両面を利用することによって、多段情報媒体１にはより多くの情報を掲載することができる。すなわち、裏面の第１コンテンツ収録領域と第２コンテンツ収録領域にも、表面の第１コンテンツ収録領域２Ａと第２コンテンツ収録領域２Ｂとはそれぞれ異なる種類のコンテンツを収録すれば、多段情報媒体１としては表面と裏面とで４通りのコンテンツを収録することができる。また、表面の第１コンテンツ収録領域２Ａと裏面の第１コンテンツ収録領域とで連続して同一のコンテンツの前半と後半を収録すると共に、表面の第２コンテンツ収録領域２Ｂと裏面の第２コンテンツ収録領域とで連続して同一のコンテンツの前半と後半を収録してもよい。
【００２６】
以下、表面に形成されるインデックス表示部１１とコンテンツ表示部１２によって、本考案に係るインデックス付き多段情報媒体１の使用例を具体的に説明するが、裏面に形成されるインデックス表示部とコンテンツ表示部についても同様である。
【００２７】
図４はインデックス付き多段情報媒体１の第１使用例を示し、インデックス付き多段情報媒体１を婚礼及び葬儀のマナー集を模式的に示している。この使用例では、第１コンテンツ収録領域２Ａに収録されるコンテンツは婚礼についてのマナーをテーマとしており、各第１インデックス表示部１１Ａには婚礼に関するマナーの各情報項目名が見出しとして記載されていて、各第１領域インデックス表示部１１Ａに連接している第１コンテンツ表示部１２Ａにはその情報項目についての詳細情報が印刷されている。そして、第２コンテンツ収録領域２Ｂに収録されるコンテンツは葬儀についてのマナーをテーマとしており、各第２インデックス表示部１１Ｂには葬儀に関するマナーの各情報項目名が見出しとして印刷されていて、各第２インデックス表示部１１Ｂに連接している第２コンテンツ表示部１２Ｂにはその情報項目についての詳細情報が記載されている。
【００２８】
図５は、情報項目の「のし袋」の第１インデックス表示部１１Ａ（又は、情報項目の「香典袋」の第２インデックス表示部１１Ｂ）を開いたときの状態を示しており、同じ頁の第１コンテンツ表示部１２Ａ及び第２コンテンツ表示部１２Ｂには、それぞれ「のし袋」と「香典袋」の詳細情報が記載されている。したがって、インデックス付き多段情報媒体１は、第１コンテンツ収録領域２Ａと第２コンテンツ収録領域２Ｂとに異なったコンテンツを収録していても、関連している情報項目については同じ頁に詳細説明情報を記載することで、利用者は対比させて詳細情報を確認することができる。また、情報項目で「服装」のように、同じ頁の第１インデックス表示部１１Ａと第２インデックス表示部１１Ｂとが同じ情報項目を記載する場合には、一つの表記で兼用してもよい。
【００２９】
図４に示す例での印刷媒体１は、区分線３から切り離すことで婚礼用マナー集と葬儀用マナー集とを別々に保持することができる。
【００３０】
図６はインデックス付き多段情報媒体１の第２使用例を示し、インデックス付き多段情報媒体１を組織などにおける就業規定集を模式的に示している。この場合、第１コンテンツ収録領域２Ａに収録されるコンテンツは就業規定そのものであり、第２コンテンツ収録領域２Ｂに収録されるコンテンツは就業規定の解説や運用説明となっている。
【００３１】
よって、第１インデックス表示部１１Ａには、就業規定の各章のテーマが見出しとして記載されていて、第１コンテンツ表示部１２Ａには、連接している第１領域インデックス表示部１１Ａの各章の条文が詳細情報として記載されている。そして、第２コンテンツ表示部１２Ｂには、同じ頁の第１コンテンツ表示部１２Ａに記載されている条文についての解説や運用説明が詳細情報として記載されている。したがって、同じ頁の第２インデックス表示部１１Ｂには、連接している第２コンテンツ表示部１２Ｂに記載されている詳細情報の見出しが記載されることになる。
【００３２】
図６は、このようなインデックス付き多段情報媒体１において、「総則」の第１インデックス表示部１１Ａ（又は、「総則の解説」の第２インデックス表示部１１Ｂ）を開いたときの状態を示している。規定集や法令集の場合には、条文が記載されている第１コンテンツ収録領域２Ａと条文を補完する内容が記載されている第２コンテンツ収録領域２Ｂとを区分線３から切り離して保管することもある。特に、第２コンテンツ収録領域２Ｂに収録されるコンテンツが、例えば、第１コンテンツ収録領域２Ａに収録される規定の運用管理を説明するもので特定の者にしか公開できないものであれば、第１コンテンツ収録領域２Ａを一般者用とし、第２コンテンツ収録領域２Ｂを特定者用としてそれぞれ切り離し、別々に保管する使い方ができる。
【００３３】
このように、第１コンテンツ収録領域２Ａと第２コンテンツ収録領域２Ｂに収録されている一方のコンテンツの内容が他方のコンテンツの内容を補完する関係にある別の使用例としては、図示しないが、文字を主体にするコンテンツと、この文字のコンテンツを図、グラフ、表、画像などを主体にして視覚的に補完するコンテンツとを収録する例がある。
【００３４】
さらに、別の使用例として、第１コンテンツ収録領域２Ａに収録するコンテンツは試験問題やクイズ・なぞなぞなどで、第２コンテンツ収録領域２Ｂにはそれに対する解答のコンテンツを記載する問答集がある。
【００３５】
図７はインデックス付き多段情報媒体１の第３使用例を示し、第１コンテンツ表示部１２Ａと第２コンテンツ表示部１２Ｂに記載の詳細情報を記載する向きを相反する方向にした例を示している。この場合、第１コンテンツ表示部１２Ａの詳細情報は、紙片２の長手方向と直交する方向で一端側（図では上方側）から読み取りが可能な向きで記載されて、第２コンテンツ表示部１２Ｂの詳細情報は、紙片２の長手方向と直交する方向の他端側（図では下方側）から読み取りが可能な向きで記載されている。したがって、多段情報媒体１を挟んで長手方向と直交する方向で複数の利用者が対面したとき、対面者の一方は第１コンテンツ表示部１２Ａの記載の詳細情報を読み取ることができ、対面者の他方は第２コンテンツ表示部１２Ｂに記載の詳細情報を読み取ることができる。
【００３６】
図７は、第１コンテンツ収録領域２Ａ及び第２コンテンツ収録領域２Ｂにそれぞれ記載する詳細情報を表記する言語を異ならせることで２言語間でのコミュニケーションツールとしての使用例を示している。この場合、第１コンテンツ表示部１２Ａと第２コンテンツ表示部１２Ｂには、場面ごとで用いられる会話の日本語と英語がそれぞれ記載されて、各場面の説明は、それぞれの言語で第１インデックス表示部１１Ａと第２インデックス表示部１１Ｂとに見出し情報として記載されている。
【００３７】
インデックス付き多段情報媒体１をコミュニケーションツールとして用いる場合に、日本語、英語等の音声言語の文字に限らず、言語以外のコミュニケーション手段としての記号（例えば、点字、象形文字、ジェスチャーや手話の動作を表すイラスト等）を記載してコミュニケーションをとる場合にも利用できる。
【００３８】
図７に示すインデックス付き多段情報媒体１は、対面者がそれぞれの言語で同じコンテンツを共有するのにも使用できる。また、同じコンテンツを同じ言語によって、第１コンテンツ収録領域２Ａと第２コンテンツ収録領域２Ｂとにそれぞれ収録してもよい。このように同じコンテンツを共有する場合には、必要に応じて区分線から第１コンテンツ収録領域２Ａと第２コンテンツ収録領域２Ｂとから切り離してそれぞれ使用することもできる。
【００３９】
上記のように本考案によるインデックス付き多段情報媒体１は、コンテンツ収録領域を複数設けたものであるから、複数種のコンテンツを一つの媒体に保持できて、携帯が容易かつ安価であり、素早く検索することが可能なインデックス付き情報媒体が提供される。そして、利用目的に応じて各コンテンツ収録領域には同一又は異なるコンテンツを自由に収録することができる。
【００４０】
そして、各コンテンツ収録領域に異なるコンテンツを収録する場合、内容が関連しているコンテンツ同士を組み合わせたり、又は内容が全く異なるものの利用者が要望するコンテンツを組み合わせたりする融通性が図れて利便性が向上する。
【００４１】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００４２】
本考案は、インデックスを備えた携帯可能な多段情報媒体に係り、特に、複数種類のコンテンツを収録しているにも拘らず素早く検索可能なインデックス付き情報媒体に関し、産業上の利用可能性を有する。
【符号の説明】
【００４３】
１      インデックス付き多段情報媒体
２      帯状の紙片
２Ａ    第１コンテンツ収録領域
２Ｂ    第２コンテンツ収録領域
３      区分線
１１    インデックス表示部
１１Ａ  第１インデックス表示部
１１Ｂ  第２インデックス表示部
１２    コンテンツ表示部
１２Ａ  第１コンテンツ表示部
１２Ｂ  第２コンテンツ表示部
【図１】
0003183784.tif 000003
【図２】
0003183784.tif 000004
【図３】
0003183784.tif 000005
【図４】
0003183784.tif 000006
【図５】
0003183784.tif 000007
【図６】
0003183784.tif 000008
【図７】
0003183784.tif 000009